(57)【要約】【課題】小型化された電磁カウンタ内の極めて狭いスペース内にも収容可能で、メンテナンスをほとんど必要とせず、安価で提供可能な照明手段を内蔵した新規な電磁カウンタを提供する。【解決手段】フレーム部材７の左右側面部７ｂの間に電磁石２、アンクル３、最下位桁数字車４、上位桁数字車５を配設し、一方の側面部７ｂには発光ダイオード１６が実装されたフレキシブル基板１５を貼り着け、カバー部材６とフレーム部材７の間の狭小隙間２０内にフレキシブル基板１５を収容する。設置対象機器に組み込む際は、フレキシブル基板１５のプリント配線１４の末端端子部１４ａに機器側の配線２２やリード線２３を接続するだけで結線が完了する。【選択図】  図２
2005222143.tif 000002
【特許請求の範囲】
【請求項１】
少なくとも、電磁石と、該電磁石の励磁，消磁により揺動動作するアンクルと、該アンクルの揺動動作に伴い所定角度ずつ回転する数字車を筐体内に装備した電磁カウンタであって、前記筐体内の空隙部に、前記数字車の照明となる発光ダイオードを実装したフレキシブル基板を内在させたことを特徴とする照明手段内蔵電磁カウンタ。
【請求項２】
前記筐体が、前記電磁石，アンクル，数字車を装備したフレーム部材と、該フレーム部材を覆うカバー部材からなり、前記空隙部が、前記フレーム部材とカバー部材の間に形成される狭小隙間であり、該狭小隙間内に前記フレキシブル基板が配設されていることを特徴とする請求項１記載の照明手段内蔵電磁カウンタ。
【請求項３】
略箱型のカバー部材で覆われるフレーム部材内に、少なくとも、電磁石と、該電磁石の励磁，消磁により揺動動作するアンクルと、該アンクルの揺動動作に伴い所定角度ずつ回転する数字車を装備した電磁カウンタであって、前記フレーム部材の一構成面に、前記数字車の照明となる発光ダイオードが収容される切欠き部を設けると共に、前記発光ダイオードを実装したフレキシブル基板を前記一構成面に貼り着けたことを特徴とする照明手段内蔵電磁カウンタ。
【請求項４】
前記カバー部材が前記フレーム部材を挿入するための開口部を有し、前記フレーム部材が前記開口部を塞ぐ基面部の左右両側に側面部を延設した略コ形のフレーム形状を呈し、前記左右の側面部間に前記電磁石，アンクル，数字車を配設すると共に、前記基面部を貫通して外方へ突出する前記電磁石の接続端子を、電磁カウンタが設置される機器側に設けた回路基板に挿入して固定される請求項３記載の電磁カウンタであって、
前記フレキシブル基板を前記側面部に貼り着けると共にその端部を前記基面部の外側に突出させ、該フレキシブル基板端部には前記発光ダイオードに導通するプリント配線の末端端子部を形成し、該末端端子部を前記回路基板の配線に半田付けするよう形成したことを特徴とする請求項３記載の照明手段内蔵電磁カウンタ。
【請求項５】
前記カバー部材が前記フレーム部材を挿入するための開口部を有し、前記フレーム部材が前記開口部を塞ぐ基面部の左右両側に側面部を延設した略コ形のフレーム形状を呈し、前記左右の側面部間に前記電磁石，アンクル，数字車を配設した請求項３記載の電磁カウンタであって、
前記フレキシブル基板を前記側面部に貼り着けると共に、前記フレーム部材には前記フレキシブル基板のプリント配線に接続するリード線の端部を係止する溝を設け、該溝により係止される前記リード線の端部を前記プリント配線の末端端子部に半田付けしたことを特徴とする請求項３記載の照明手段内蔵電磁カウンタ。
【請求項６】
前記発光ダイオードが多色発光ダイオードであることを特徴とする請求項１〜５のいずれか記載の照明手段内蔵電磁カウンタ。
【発明の詳細な説明】
【技術分野】
【０００１】
本発明は電磁カウンタに関し、詳しくは、機器の内部に設置される電磁カウンタの照明機構の改良に関する。
【背景技術】
【０００２】
従来、例えば特許文献１に記載されるように、少なくとも、電磁石と、電磁石の励磁，消磁により揺動動作するアンクルと、このアンクルの先端に形成された爪部が係合するラチェットギヤが側面に形成された最下位桁の数字車を備え、さらに、側面に伝達ギヤが形成された所要数の上位桁数字車と、これら数字車間に介在して桁上げを行うピニオンとから構成された電磁カウンタが知られている。
【０００３】
また、この種電磁カウンタは通常、電磁石により励磁された鉄心に鉄粉などが付着してアンクルの揺動動作に支障を来たすことがないよう、前記した電磁石、アンクル、数字車を筐体内に収容して防塵性を向上させている。筐体としては、例えば、電磁石、アンクル、数字車が所定箇所に配設されたフレーム部材を箱型のカバー部材で覆ったものなどがある。
【０００４】
【特許文献１】特開昭５７−９３４８７号公報
【発明の開示】
【発明が解決しようとする課題】
【０００５】
ところで、これら電磁カウンタは、例えばコインの計数や給紙枚数を計数するべくゲーム機、コピー機，プリンタ装置などの各種機器に組み込まれるが、その設置場所は前記した機器の内部であることが多く、機器内部が暗いこと、カウンタが発光機能を備えていないなどの事情から、カウンタで表示される数値の読み取りが困難になる場合がある。このような場合、懐中電灯などで機器内部を照らして数値を読み取るという煩わしい作業を余儀なくされていた。
【０００６】
このような不具合を解消するため、機器内部に数字車を照らす照明灯を別途設置したりカウンタ内部に豆電球を組み込むことが考えられるが、近年、電磁カウンタが設置される前記各種機器は小型化の傾向が顕著であり、それに伴い電磁カウンタも小型化が進んでおり、機器内部や電磁カウンタ内に照明灯を設置するのは極めて困難である。また、たとえ狭いスペースを確保して豆電球を設置したとしても、光源がフィラメントである豆電球は点灯寿命が短いので定期的に交換する必要があり、設置スペースの狭さに起因するメンテナンス作業の煩わしさとそれに伴うコストが問題になる。
また、カバー部材がフレーム部材に固定された筐体内に電磁石、アンクル、数字車などを収容したタイプの電磁カウンタの場合、電球の交換は実質的に不可能なため電磁カウンタ全体を交換しなければならないという問題が生じる。
【０００７】
本発明は上述したような従来事情に鑑みて成されたものであり、その目的とする処は、小型化された電磁カウンタ内の極めて狭いスペース内にも収容可能で、且つメンテナンスをほとんど必要とせず、安価で提供可能な照明手段を内蔵した新規な電磁カウンタを提供することである。
【課題を解決するための手段】
【０００８】
以上の目的を達成するために、本発明の請求項１に係る電磁カウンタは、少なくとも、電磁石と、該電磁石の励磁，消磁により揺動動作するアンクルと、該アンクルの揺動動作に伴い所定角度ずつ回転する数字車を筐体内に装備した電磁カウンタであって、前記筐体内の空隙部に、前記数字車の照明となる発光ダイオードを実装したフレキシブル基板を内在させたことを特徴とする。
【０００９】
請求項２では、前記筐体が、前記電磁石，アンクル，数字車を装備したフレーム部材と、該フレーム部材を覆うカバー部材からなり、前記空隙部が、前記フレーム部材とカバー部材の間に形成される狭小隙間であり、該狭小隙間内に前記フレキシブル基板が配設されていることを特徴とする。
【００１０】
請求項３では、略箱型のカバー部材で覆われるフレーム部材内に、少なくとも、電磁石と、該電磁石の励磁，消磁により揺動動作するアンクルと、該アンクルの揺動動作に伴い所定角度ずつ回転する数字車を装備した電磁カウンタであって、前記フレーム部材の一構成面に、前記数字車の照明となる発光ダイオードが収容される切欠き部を設けると共に、前記発光ダイオードを実装したフレキシブル基板を前記一構成面に貼り着けたことを特徴とする。
ここで、フレキシブル基板をフレーム部材の一構成面に貼り着ける手段としては、接着や両面テープによる貼り着けなどをあげることができるが、作業性や作製コストなどを考慮すれば、両面テープを用いることが好ましい。
【００１１】
請求項４では、前記カバー部材が前記フレーム部材を挿入するための開口部を有し、前記フレーム部材が前記開口部を塞ぐ基面部の左右両側に側面部を延設した略コ形のフレーム形状を呈し、前記左右の側面部間に前記電磁石，アンクル，数字車を配設すると共に、前記基面部を貫通して外方へ突出する前記電磁石の接続端子を、電磁カウンタが設置される機器側に設けた回路基板に挿入して固定される請求項３記載の電磁カウンタであって、
前記フレキシブル基板を前記側面部に貼り着けると共にその端部を前記基面部の外側に突出させ、該フレキシブル基板端部には前記発光ダイオードに導通するプリント配線の末端端子部を形成し、該末端端子部を前記回路基板の配線に半田付けするよう形成したことを特徴とする。
【００１２】
請求項５では、前記カバー部材が前記フレーム部材を挿入するための開口部を有し、前記フレーム部材が前記開口部を塞ぐ基面部の左右両側に側面部を延設した略コ形のフレーム形状を呈し、前記左右の側面部間に前記電磁石，アンクル，数字車を配設した請求項３記載の電磁カウンタであって、
前記フレキシブル基板を前記側面部に貼り着けると共に、前記フレーム部材には前記フレキシブル基板のプリント配線に接続するリード線の端部を係止する溝を設け、該溝により係止される前記リード線の端部を前記プリント配線の末端端子部に半田付けしたことを特徴とする。
【００１３】
請求項６では、前記発光ダイオードが多色発光ダイオードであることを特徴とする。
【００１４】
尚、本発明において、数字車の数は必ずしも限定されるものではないが、アンクルの揺動動作に伴い所定角度ずつ回転する最下位桁の数字車と、側面に伝達ギヤが形成された所要数の上位桁数字車と、これら各数字車間に介在して桁上げを行うピニオンとから構成されたものが一般に用いられており、本発明ではそのような態様をも含むことは言うまでもない。
【発明の効果】
【００１５】
本発明は以上説明したように構成したので、以下に記載されるような効果を奏する。
（請求項１）
カウンタ表示部分の照明手段としてフレキシブル基板に実装された発光ダイオードを内蔵したので、小型化された電磁カウンタ内の狭いスペースにも容易に設置することができ、且つフィラメントを使わない発光ダイオードが照明手段となるので豆電球を用いる場合に比べメンテナンスも容易である。また、設置対象機器に組み込む際にも、フレキシブル基板に形成されたプリント配線の末端端子部に機器側の回路配線やリード線を接続するだけで結線が完了するので、小型化されたゲーム機、コピー機、プリンタ装置等に設置するに極めて有用な照明手段内蔵電磁カウンタを提供することができた。
【００１６】
（請求項２）
電磁石，アンクル，数字車などのカウンタ構成要素を装備したフレーム部材をカバー部材で覆うようにしたので、防塵性に優れると共に組立ても容易で小型化に適した電磁カウンタとすることができ、且つそのフレーム部材とカバー部材の間の狭小隙間を有効に利用して前記効果を得るので、計数作動の信頼性にも優れ低コストで作製可能な商品価値の高い新規な照明手段内蔵電磁カウンタを提供することができた。
【００１７】
（請求項３）
発光ダイオードを実装したフレキシブル基板をフレーム部材に貼り着けるようにしたので、照明手段の組み込みがより簡単に行えるようになり、且つフレーム部材の構成面に切欠き部を設けて発光ダイオードをフレーム部材の肉厚寸法内に収容することができるので、照明手段内蔵用のスペースを新たに確保するような必要もなく、よって、前述した効果をより実効あるものとし得た。
【００１８】
（請求項４）
前述の効果に加え、設置対象機器に組み込む際、外側に突出するフレキシブル基板端部の末端端子部に、機器側の回路配線を半田付けすると共に、電磁石の接続端子を前記回路基板に挿入するだけの簡単な作業で設置が完了するので、小型化されたゲーム機、コピー機、プリンタ装置などの各種機器用として極めて有用な電磁カウンタとすることができた。
【００１９】
（請求項５）
前述の効果に加え、フレキシブル基板のプリント配線に接続するリード線の端部がフレーム部材の溝で係止されるので、リード線を引っ張るような方向に外力が加わったとしても、その力がリード線とプリント配線の半田付け部分に直接作用してリード線が引き抜かれるような虞れを低減し、リード線結線型における照明の信頼性を向上させることができる。
【００２０】
（請求項６）
前述の効果に加え、多色発光ダイオードにより発光色を任意に選択することができるので、例えば複数の計数要素に対応すべく複数の電磁カウンタを設置した場合、各電磁カウンタごとに発光色を変えることで各計数要素の読取違いなどを防止することができる。
【発明を実施するための最良の形態】
【００２１】
以下、実施形態の例を図面を参照しながら説明するが、本発明に係る電磁カウンタはこれら図示例に限定されるものではない。
【００２２】
図１，図２に示す電磁カウンタＡは、筐体１内に、電磁石２、アンクル３、最下位桁数字車４、上位桁文字車５，５，・・・などと共に照明手段を装備したもので、各数字車４，５により表示されるカウント数字を照明手段で照らして暗所でも容易に読み取れるよう構成されている。
【００２３】
筐体１は、略箱型のカバー部材６と、そのカバー部材６で周囲を覆われるフレーム部材７からなり、カバー部材６は任意の一面（例えば背面）にフレーム部材７の挿入口となる開口部６ａを備えると共に、任意の他面（例えば正面）にカウンタ表示部となる窓孔６ｂを備え、フレーム部材７はその開口部６ａを塞ぐ基面部７ａの左右両側に側面部７ｂ，７ｂを延設した略コ形のフレーム形状を呈している。
フレーム部材７の左右の側面部７ｂ，７ｂの間には電磁石２、アンクル３、最下位桁数字車４、上位桁文字車５，５，・・・などが配設されて電磁カウント機構を構成している。
【００２４】
電磁カウント機構は従来の電磁カウンタと同様に構成されたもので、その機構を簡単に説明すれば、電磁石２に電流を流すと鉄心８及び補助鉄心８ａが磁化され、ラチェットギヤ９に噛合する爪部を先端に備えたアンクル３の基端に一体化された可動片１０が鉄心８及び補助鉄心８ａに吸引されて、アンクル３が回動軸１１を中心としてバネ１２に抗して正方向へ揺動する一方、電磁石２の電流が遮断されると鉄心８と補助鉄心８ａは磁力がなくなるので、アンクル３はバネ１２の力によって逆方向に揺動する。すなわち、アンクル３は電磁石２の電流のオン、オフによって１回の往復揺動動作をし、この１揺動動作によってラチェットギヤ９は３６度回動する。ラチェットギヤ９は最下位桁数字車４と一体に形成されており、ラチェットギヤ９の回動に伴って最下位桁数字車４も３６度回転する。最下位桁数字車４の外周には３６度分割で「０」から「９」までの数字が印刷されており、電磁石２へ信号電流を１パルス印加するごとに最下位桁数字車４は回動する。最下位桁数字車４と並んで設置された上位桁数字車５，５，・・・は側面に伝達ギヤ５ａを有すると共にこれら各数字車４，５，５間に桁上げを行うピニオン１３が設けられ、最下位桁数字車４が１回転するとピニオン１３が回動して上桁の上位桁数字車５が３６度回動し、上位桁数字車５が１回転するとピニオン１３が回動してさらに上桁の上位桁数字車５が３６度回動し、該動作を繰り返すことで印加信号数をカウント数として表示するよう構成されている。
【００２５】
照明手段は、プリント配線１４が形成されたフレキシブル基板１５に発光ダイオード１６と電流制限抵抗１７を実装したもので、そのフレキシブル基板１５を、フレーム部材７の左右いずれか（図１では右側）の側面部７ｂに両面テープ１８で貼り着けてある。
フレキシブル基板１５が貼り着けられる側面部７ｂには、発光ダイオード１６、電流制限抵抗１７が収容される切欠き部１９が適所に形成され、カバー部材６とフレーム部材７の間の狭小隙間２０内に照明手段が収まるようになっている。
【００２６】
フレキシブル基板１５はその端部がフレーム部材７の基面部７ａの外側に位置する（筐体１の外側に突出する）よう形成され、またその端部にはプリント配線１４の末端端子部１４ａが形成され、該端子部１４ａに電圧を印加すると電流制限抵抗１７を介して発光ダイオード１６に電流が流れて発光し、その光が各数字車４，５，５，・・・に向けて照射されて、暗所でもカウント数字が読み取れるようになっている。
電磁石２の接続端子２ａ，２ａは、フレーム部材７の基面部７ａを貫通して筐体１の外側に突出している。
【００２７】
図３には、本例の電磁カウンタＡを、設置対象である機器側に設けた回路基板２１に取り付けた状態を表す。
回路基板２１には上述した電磁石２と発光ダイオード１６に電力を供給するための配線２２が形成され、その配線２２の適所に、電磁石２の接続端子２ａが差し込まれる差込部２２ａと、フレキシブル基板１５の末端端子部１４ａに接続される接続部２２ｂが形成されている。
そして、末端端子部１４ａを接続部２２ｂに半田付けし、且つ電磁石２の接続端子２ａを差込部２２ａに差し込んで半田付けすることで、回路基板２１の配線２２と電磁石２、発光ダイオード１６の結線作業、電磁カウンタＡの機器への設置作業が同一工程で行え、作業の簡略化が図れるようになっている。
【００２８】
フレキシブル基板１５は図２中などに示すように、フレーム部材７の側面部７ｂに貼り着け可能な略長方形状に形成され、一端側に実装される発光ダイオード１６と他端側に形成される末端端子部１４ａとの間にプリント配線１４が形成されると共に、中途部に電流制限抵抗１７が実装されている。
【００２９】
以上説明した本例の電磁カウンタは、予めフレーム部材７に電磁石２、アンクル３、最下位桁数字車４、上位桁文字車５，５，・・・などを配設して電磁カウント機構を構成すると共に、発光ダイオード１６、電流制限抵抗１７が実装されたフレキシブル基板１５をフレーム部材７の側面部７ｂに両面テープ１８で貼り着けて切欠き部１９，１９に発光ダイオード１６と電流制限抵抗１７を収容し、このフレーム部材７にカバー部材６を被せて組み立てられる。
よって、フレーム部材７とカバー部材６の間の狭小隙間２０内に、発光ダイオード１６と電流制限抵抗１７が実装されたフレキシブル基板１５が収容され、豆電球などを組み込むスペースが殆どない程度まで小型化されていても、照明手段を内蔵して暗所であっても容易にカウント数字を読み取ることができる。また、発光ダイオード１６で照明手段を構成するのでメンテナンスが不要であり、筐体１が分解不能に構成されていても実使用への影響はない。さらに、機器への設置も前述したとおり容易に行えるので、小型化されたゲーム機、コピー機、プリンタ装置などに設置するに極めて有用な電磁カウンタとして供することができた。
【００３０】
図４には、前述した電磁カウンタＡの一部を変更した他の実施形態を示すが、前記と同様の構成部分には図中に同一の符号を付すなどして重複する説明、図示を一部省略し、相違点のみ以下に説明する。
【００３１】
この例の電磁カウンタＡは、フレキシブル基板１５の末端端子部１４ａ，１４ａにリード線２３，２３を接続して発光ダイオード１６への電力供給を行うもので、フレーム部材７に各リード線２３の端部２３ａが係止される係止溝を備え、プリント配線１４の末端端子部１４ａに半田付けしたリード線端部２３ａを該係止溝により係止するようになっている。
【００３２】
係止溝は、フレーム部材７のフレキシブル基板１５が貼り着けられる側面部７ｂの基端部分に凹設されており、プリント配線１４に対しほぼ直角に交差する方向に伸びる横溝２４と、該横溝２４の両端部から基面部７ａの外方へ伸びる縦溝２５とで係止角部２６を構成するもので、横溝２４に挿入されるリード線２３の端部２３ａが略直角に曲がる状態でプリント配線１４の末端端子部１４ａに半田付けされて縦溝２５内に挿入されることで、リード線２３を引っ張る方向に外力が加わったとしても、係止角部２６でリード線２３を係止し、リード線端部２３ａとプリント配線の末端端子部１４ａの半田接続が外れることのないようになっている。
【００３３】
この例の電磁カウンタＡを対象機器へ設置する場合の取り付け構造の具体的態様を図５に示す。
図５（ａ）には、カバー部材６の正面側（カウンタ表示部側）に一体に設けた取付部２７を機器の前面パネル１００などにビス止め２８する態様を示し、図５（ｂ）には、カバー部材６の正面側に一体に設けた上下のクリップ片２９と縁部３０とで機器の前面パネル１００を挟み込む態様を示し、図５（ｃ）には、カバー部材６の背面側に一体に設けたＬ形の取付片３１を機器内の取付パネル１０１などにビス止め３２する態様を示す。
【００３４】
図６には、前記した各実施形態における発光ダイオード１６の変更例を示す。
前述した電磁カウンタＡにおいては、フレキシブル基板１５に実装する発光ダイオード１６として、同図（ａ）に示す回路構成となるよう一つの発光素子１６ａを備えた単色の発光ダイオードを用いても良いが、同図（ｂ）に示す回路構成となるよう異なる二色の発光素子１６ａ，１６ｂを備えた多色発光ダイオード１６’を用いたり、同図（ｃ）に示す回路構成となるよう異なる三色の発光素子１６ａ，１６ｂ，１６ｃを備えた多色発光ダイオード１６”を用いることもできる。
このような多色発光ダイオード１６’，１６”を用いた場合、プリント配線１４の末端端子部１４ａに印加する電圧を適宜に設定して任意の色の発光素子を単独若しくは複数発光させることで、多色発光ダイオード１６’，１６”による発光色（照明色）を適宜に選択することができる。
このような構成によれば、図７に示すように、複数の計数要素に対応するために複数の電磁カウンタＡを集合して設置した場合、各カウンタＡごとに多色発光ダイオード１６”の発光色を変えることで個々のカウンタＡの識別が容易になり、各計数要素の読み取り間違いをなくして、計数データの精度を向上し、信頼性の高い計数作業を容易に行うことができる。
【００３５】
以上、本発明の実施形態の例を図面を参照して説明したが、本発明に係る電磁カウンタは図示例に限定されるものではなく、特許請求範囲の各請求項に記載された技術的思想の範疇において種々の変更が可能であることは言うまでもない。
【図面の簡単な説明】
【００３６】
【図１】本発明に係る電磁カウンタの実施形態の一例を示し、（ａ）は一部切欠正面図、（ｂ）は一部切欠平面図、（ｃ）は（Ｘ）−（Ｘ）線に沿う断面図である。
【図２】（ａ）は図１に示す電磁カウンタのカバー部材とフレキシブル基板を外した状態の斜視図、（ｂ）はカバー部材とフレーム部材の組み付け前の状態を示す斜視図である。
【図３】図１に示す電磁カウンタを回路基板に実装した状態を示す斜視図。
【図４】本発明に係る電磁カウンタの実施形態の他例を示し、（ａ）はカバー部材とフレキシブル基板を外した状態の斜視図、（ｂ）はカバー部材とフレーム部材の組み付け前の状態を示す斜視図である。
【図５】図４に係る電磁カウンタの取り付け様態を示す側面図である。
【図６】フレキシブル基板の回路構成図で、（ａ）は単色発光ダイオード、（ｂ）は二色発光ダイオード、（ｃ）は三色発光ダイオードを実装した場合を夫々表す。
【図７】複数の電磁カウンタを設置した状態を示す正面図である。
【符号の説明】
【００３７】
Ａ：電磁カウンタ
１：筐体
２：電磁石
２ａ：電磁石の接続端子
３：アンクル
４，５：数字車
６：カバー部材
７：フレーム部材
７ａ：基面部
７ｂ：側面部
１４：プリント配線
１４ａ：末端端子部
１５：フレキシブル基板
１６，１６’，１６”：発光ダイオード
１９：切欠き部
２０：狭小隙間
２１：回路基板
２２：配線
２３：リード線
２４：横溝
２５：縦溝
【図１】
2005222143.tif 000003
【図２】
2005222143.tif 000004
【図３】
2005222143.tif 000005
【図４】
2005222143.tif 000006
【図５】
2005222143.tif 000007
【図６】
2005222143.tif 000008
【図７】
2005222143.tif 000009